(57)【要約】【課題】ネジ方式の容器開閉口にキャップで蓋をする場合において、適確で容易に蓋をすることができる開閉口がネジ方式の容器のキャップを提供すること【解決手段】開閉口がネジ方式の容器のキャップにおいて、キャップ（１）の上部の面に、凸状の指掛け台（３）を設け、指掛け台（３）の中央上部に凸状の指掛け（２）を設けていることを特徴とする。これにより、キャップで蓋をする場合は、人差し指の指先（８）で指掛け台（３）に設けている指掛け（２）を軽く押しながら親指（９）と中指（１０）でキャップを回すことにより、キャップのネジの切り込み線（５）が容器のネジの切り込み線（６）に適確に噛み合い、キャップが円滑に回転して、容易にキャップで蓋をすることができる開閉口がネジ方式の容器のキャップに関するものである。【選択図】図１
0003128284.tif 000002
【実用新案登録請求の範囲】
【請求項１】
開閉口がネジ方式の容器のキャップ（１）の上部の面に、凸状の指掛け台（３）を設け、指掛け台（３）の中央上部に凸状の指掛け（２）を設けていることを特徴とする開閉口がネジ方式の容器のキャップ。
【請求項２】
開閉口がネジ方式の容器のキャップ（１）の上部の面に、凸状の指掛け（２）を設けていることを特徴とする請求項１に記載の開閉口がネジ方式の容器のキャップ。
【請求項３】
開閉口がネジ方式の容器のキャップ（１）の上部の面に、凹状の指置き台（４）を設けていることを特徴とする請求項１に記載の開閉口がネジ方式の容器のキャップ。
【請求項４】
開閉口がネジ方式の容器のキャップ（１）の上部の面に、凹状の指置き台（４）を設け、指置き台（４）の中央上部に凸状の指掛け（２）を設けていることを特徴とする請求項１に記載の開閉口がネジ方式の容器のキャップ。
【考案の詳細な説明】
【技術分野】
【０００１】  本考案は、ペットボトル等の開閉口がネジ方式の容器のキャップで蓋をする場合において、キャップ（１）の上部の面に設けた指掛け（２）を人差し指の指先（８）で軽く押しながら親指（９）と中指（１０）でキャップを回すことにより、キャップのネジの切り込み線（５）が容器のネジの切り込み線（６）に適確に噛み合って容易に蓋をすることができる開閉口がネジ方式の容器のキャップに関するものである。
【背景技術】
【０００２】  従来のネジ方式の容器のキャップは、キャップの上部の面（１１）が平面状であることから、キャップで蓋をする場合は、指でキャップの縁をつかむだけでキャップを回していたが、これでは、キャップが容器に対して傾斜することが多く、このため、キャップのネジの切り込み線が容器のネジの切り込み線に適確に噛み合わないことから、一旦キャップを閉める方向と逆の方向に回してから、再び閉める方向に回してキャップを閉めていた。
【考案の開示】
【考案が解決しようとする課題】
【０００３】  以上述べたように、従来のネジ方式の開閉口の容器のキャップは、前記の構造であったため、キャップの開閉の都度において面倒な動作を繰り返さなければならなかった。【０００４】本考案は、このような従来のネジ方式の開閉口の容器のキャップが有していた問題を解決するもので、キャップで蓋をする場合に、人差し指の指先（８）で指掛け（２）を軽く押しながら、親指（９）と中指（１０）でキャップを回すことにより、キャップのネジの切り込み線（５）が容器のネジの切り込み線（６）に適確に噛み合い、キャップが円滑に回転して容易に蓋をすることができる開閉口がネジ方式の容器のキャップを提供することを目的とするものである。
【課題を解決するための手段】
【０００５】  開閉口がネジ方式の容器のキャップ（１）の上部に、凸状の指掛け台（３）を設け、指掛け台（３）の中央上部に凸状の指掛け（２）を設けていることを特徴とする。【０００６】上記構成によれば、キャップで蓋をする場合、人差し指（８）で指掛け（２）を軽く押しながら、親指（９）と中指（１０）でキャップを回すことにより、キャップのネジの切り込み線（５）が容器のネジの切り込み線（６）に適確に噛み合い、キャップが円滑に回転して容易にキャップで蓋をすることができる。
【考案を実施するための最良の形態】
【０００７】  開閉口がネジ方式の容器のキャップ（１）の上部に、凸状の指掛け台（３）を設け、指掛け台（３）の中央上部に凸状の指掛け（２）を設けていることを特徴とする。【０００８】以下、本考案の実施の形態を図面に基づいて説明する。第１の実施形態は、図２に示すごとく、開閉口がネジ方式の容器のキャップ（１）の中央上部に、指掛け台（３）を設け、指掛け台（３）の中央上部に凸状の指掛け（２）を設けていることを特徴とする。これにより、キャップで蓋をする場合は、人差し指の指先（８）で指掛け（２）を軽く押しながら、親指（９）と中指（１０）でキャップを回すことにより、キャップのネジの切り込み線（５）が容器のネジの切り込み線（６）に適確に噛み合い、キャップが円滑に回転して容易にキャップで蓋をすることができる。また、指掛け（２）を指掛け台（３）の中央上部に設けることによって、人差し指の指先（８）が指掛け台（３）に広く接することができるため、人差し指の指先（８）とキャップの上部との接点が安定してキャップをよりいっそう円滑に回転させることができる。【０００９】  また、第２の実施形態は、図３に示すごとく開閉口がネジ方式の容器のキャップ（１）の上部に、凸状の指掛け（２）を設けていることを特徴とする。これにより、キャップで蓋をする場合は、人差し指の指先（８）で指掛け（２）を軽く押しながら親指（９）と中指（１０）でキャップを回すことにより、キャップのネジの切り込み線（５）が容器のネジの切り込み線（６）に適確に噛み合い、キャップが円滑に回転して容易にキャップで蓋をすることができる。【００１０】  また、第３の実施形態は、図４に示すごとく開閉口がネジ方式の容器のキャップ（１）の上部に、凹状の指置き台（４）を設けていることを特徴とする。これにより、キャップで蓋をする場合は、人差し指の指先（８）で指置き台（４）を軽く押しながら親指（９）と中指（１０）でキャップを回すことにより、キャップのネジの切り込み線（５）が容器のネジの切り込み線（６）に適確に噛み合い、キャップが円滑に回転して容易にキャップで蓋をすることができる。【００１１】  また、第４の実施形態は、図５に示すごとく開閉口がネジ方式の容器のキャップ（１）の上部に凹状の指置き台（４）を設け、指置き台（４）の中央上部に凸状の指掛け（２）を設けていることを特徴とする。これにより、キャップで蓋をする場合は、人差し指の指先（８）で指掛け（２）を軽く押しながら親指（９）と中指（１０）でキャップを回すことにより、キャップのネジの切り込み線（５）が容器のネジの切り込み線（６）に適確に噛み合い、キャップが円滑に回転して容易にキャップで蓋をすることができる。また、指掛け（２）を凹状の指置き台（４）の中央上部に設けていることにより、指掛け（２）がキャップの上部に突起しないので、キャップや容器の取扱いが容易である。
【効果】
【００１２】  一般的には、日常生活で使用するネジ方式の開閉口の容器（７）のキャップによる開閉は、その頻度が極めて多いことから、その手間や労力を省くことは便利な暮らしのなかで極めて大切である。特に、ペットボトル等は、そのほとんどが飲料水を入れたものであり、歩きながら何度もペットボトルのキャップで開閉を繰り返しながら使用する場合が多く、このため、確実で容易に開閉できるキャップは利用者にとって極めて便利で、暮らしを豊かにするその効果は大きい。
【実施例】
【００１３】実施例１は、図２に示すごとく開閉口がネジ方式の容器のキャップ（１）の上部の面に、凸状の指掛け台（３）を設け、指掛け台（３）の中央上部に凸状の指掛け（２）を設けていることを特徴とする。これにより、キャップで蓋をする場合は、図６に示すごとく、人差し指の指先（８）で指掛け台（３）に設けている指掛け（２）を軽く押しながら、親指（９）と中指（１０）でキャップを回すことにより、キャップのネジの切り込み線（５）が容器のネジの切り込み線（６）に適確に噛み合い、キャップが円滑に回転して容易にキャップで蓋をすることができる。【００１４】実施例２は、図３に示すごとく開閉口がネジ方式の容器のキャップ（１）の上部の面に、凸状の指掛け（２）を設けていることを特徴とする。これにより、キャップで蓋をする場合、人差し指の指先（８）で指掛け（２）を軽く押しながら、親指（９）と中指（１０）でキャップを回すことにより、キャップのネジの切り込み線（５）が容器のネジの切り込み線（６）に適確に噛み合い、キャップが円滑に回転して容易にキャップで蓋をすることができる。【００１５】実施例３は、図４に示すごとく開閉口がネジ方式の容器のキャップ（１）の上部の面に、凹状の指置き台（４）を設けていることを特徴とする。これにより、キャップで蓋をする場合は、人差し指の指先（８）で指置き台（４）を軽く押しながら親指（９）と中指（１０）でキャップを回すことにより、キャップのネジの切り込み線（５）が容器のネジの切り込み線（６）に適確に噛み合い、円滑に回転して容易にキャップで蓋をすることができる。【００１６】実施例４は、図５に示すごとく開閉口がネジ方式の容器のキャップ（１）の上部の面に凹状の指置き台（４）を設け、指置き台（４）の中央上部に凸状の指掛け（２）を設けていることを特徴とする。これにより、キャップで蓋をする場合は、人差し指の指先（８）で指掛け（２）を軽く押しながら親指（９）と中指（１０）でキャップを回すことにより、キャップのネジの切り込み線（５）が容器のネジの切り込み線（６）に適確に噛み合い、円滑に回転して容易にキャップで蓋をすることができる。
【図面の簡単な説明】
【００１７】
【図１】指掛け台および指掛けを設けたキャップの斜視図
【図２】指掛け台および指掛けを設けたキャップの横からの断面図
【図３】指掛けを設けたキャップの横からの断面図
【図４】指置き台を設けたキャップの横からの断面図
【図５】指置き台および指掛けを設けたキャップの横からの断面図
【図６】第１の実施例
【図７】従来のキャップの横からの断面図
【符号の説明】
【００１８】    １  キャップ    ２  指掛け    ３  指掛け台    ４  指置き台    ５  キャップのネジの切り込み線    ６  容器のネジの切り込み線    ７  容器    ８  人差し指の指先    ９  親指  １０  中指  １１  キャップの上部の面
【図１】
0003128284.tif 000003
【図２】
0003128284.tif 000004
【図３】
0003128284.tif 000005
【図４】
0003128284.tif 000006
【図５】
0003128284.tif 000007
【図６】
0003128284.tif 000008
【図７】
0003128284.tif 000009
【手続補正書】
【提出日】平成18年10月4日(2006.10.4)
【手続補正１】
【補正対象書類名】明細書
【補正対象項目名】００１７
【補正方法】変更
【補正の内容】
【００１７】
【図１】指掛け台および指掛けを設けたキャップの斜視図
【図２】指掛け台および指掛けを設けたキャップの横からの断面図
【図３】指掛けを設けたキャップの横からの断面図
【図４】指置き台を設けたキャップの一部破断の斜視図
【図５】指置き台および指掛けを設けたキャップの一部破断の斜視図
【図６】指掛け台および指掛けを設けたキャップの実施図
【図７】従来のキャップの横からの断面図
【手続補正２】
【補正対象書類名】図面
【補正対象項目名】図４
【補正方法】変更
【補正の内容】
【図４】
0003128284.tif 000010
【手続補正３】
【補正対象書類名】図面
【補正対象項目名】図５
【補正方法】変更
【補正の内容】
【図５】
0003128284.tif 000011